【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
画素ユニットと、前記画素ユニットから信号線を介して信号を読み出す読み出し部と、前記読み出し部によって読み出される信号を保持する保持部とを備え、前記画素ユニットが、入射した光に応じた第１電荷を発生する第１光電変換部と、入射した光に応じた第２電荷を発生する第２光電変換部と、前記第１光電変換部および前記第２光電変換部に対して共通に設けられていて、入力部を有し、前記入力部に与えられた電荷に応じた信号を前記信号線に出力する増幅部と、前記第１光電変換部で発生した前記第１電荷を前記入力部に転送する第１転送トランジスタと、前記第２光電変換部で発生した前記第２電荷を前記入力部に転送する第２転送トランジスタとを有する固体撮像装置であって、
前記読み出し部によって読み出される信号は、前記入力部に対して前記第１転送トランジスタによって前記第１光電変換部から前記第１電荷が転送された状態で読み出される第１光信号と、前記第１光信号が読み出された後に、前記第１光電変換部から転送された前記第１電荷を保持している前記入力部に対して前記第２転送トランジスタによって前記第２光電変換部から前記第２電荷が転送された状態で読み出される第２光信号とを含み、
前記読み出し部が前記第１光信号の読み出しを開始してから、前記保持部への前記第１光信号の書き込みを終了するまでの時間をＴ１、前記読み出し部が前記第２光信号の読み出しを開始してから、前記保持部への前記第２光信号の書き込みを終了するまでの時間をＴ２とすると、Ｔ１＜Ｔ２が成り立つ、
ことを特徴とする固体撮像装置。
【請求項２】
前記画素ユニットが、前記入力部の電位をリセットするリセットトランジスタを更に有し、前記読み出し部によって読み出される信号は、前記入力部の電圧が前記リセットトランジスタによってリセットされた状態で読み出されるノイズ信号を含み、
前記読み出し部が前記ノイズ信号の読み出しを開始してから前記保持部への前記ノイズ信号の書き込みを終了するまでの時間をＴ０とすると、Ｔ０＜Ｔ１＜Ｔ２が成り立つ、
ことを特徴とする請求項１に記載の固体撮像装置。
【請求項３】
前記読み出し部は、第１入力端子、第２入力端子および出力端子を有する差動増幅器と、前記入力部と前記第１入力端子との間に配置されたクランプ容量と、前記第１入力端子と前記出力端子との間に配置されたフィードバック容量と、前記第１入力端子と前記出力端子との間に配置されたスイッチとを有し、前記第２入力端子に基準電圧が与えられ、
前記保持部は、メモリを含み、前記リセットトランジスタによる前記入力部の電圧のリセットが解除され、かつ、前記スイッチがオンした状態において前記読み出し部によって読み出される信号を前記メモリによって保持した後に、前記メモリによって前記ノイズ信号を保持する、
ことを特徴とする請求項２に記載の固体撮像装置。
【請求項４】
前記保持部は、前記ノイズ信号を保持する２つのメモリ、前記第１光信号を保持するメモリおよび前記第２光信号を保持するメモリを含む、
ことを特徴とする請求項２又は３に記載の固体撮像装置。
【請求項５】
前記第２転送トランジスタによって前記第２光電変換部から前記入力部に前記第２電荷が転送される際に、前記第１転送トランジスタによって前記第１光電変換部から前記入力部に再び電荷が転送される、
ことを特徴とする請求項１乃至４のいずれか１項に記載の固体撮像装置。
【請求項６】
前記第１光電変換部および前記第２光電変換部に対して共通のマイクロレンズが設けられている、
ことを特徴とする請求項１乃至５のいずれか１項に記載の固体撮像装置。
【請求項７】
前記第１光電変換部および前記第２光電変換部に対してそれぞれ別個のマイクロレンズが設けられている、
ことを特徴とする請求項１乃至５のいずれか１項に記載の固体撮像装置。
【請求項８】
第２画素ユニットと、前記第２画素ユニットから信号を読み出す第２読み出し部と、前記第２読み出し部によって読み出される信号を保持する第２保持部とを更に備え、前記第２画素ユニットが、第３光電変換部と、第４光電変換部と、前記第３光電変換部および前記第４光電変換部に対して共通に設けられた第２増幅部と、前記第３光電変換部で発生した電荷を前記第２増幅部の入力部である第２入力部に転送する第３転送トランジスタと、前記第４光電変換部で発生した電荷を前記第２入力部に転送する第４転送トランジスタと、を有し、
前記第１光電変換部および前記第３光電変換部に対して共通のマイクロレンズが設けられ、前記第２光電変換部および前記第４光電変換部に対して共通のマイクロレンズが設けられている、
ことを特徴とする請求項１乃至５のいずれか１項に記載の固体撮像装置。
【請求項９】
前記画素ユニットは、少なくとも１つの追加の光電変換部を含み、前記増幅部が前記第１光電変換部、前記第２光電変換部および前記少なくとも１つの追加の光電変換部に対して共通に設けられている、
ことを特徴とする請求項１乃至８のいずれか１項に記載の固体撮像装置。
【請求項１０】
前記第２光信号は、前記第１光電変換部から転送された前記第１電荷を保持している前記入力部に対して前記第２転送トランジスタによって前記第２光電変換部から前記第２電荷が転送され、かつ、前記第１転送トランジスタによって前記第１光電変換部から前記入力部に再び電荷が転送された状態で読み出される信号である、
ことを特徴とする請求項１乃至９のいずれか１項に記載の固体撮像装置。
【請求項１１】
請求項１乃至１０のいずれか１項に記載の固体撮像装置と、
前記固体撮像装置から出力される信号を処理する処理部と、
を備えることを特徴とするカメラ。
【請求項１２】
画素ユニットと、前記画素ユニットから信号線を介して信号を読み出す読み出し部と、前記読み出し部によって読み出される信号を保持する保持部とを備え、前記画素ユニットが、入射した光に応じた第１電荷を発生する第１光電変換部と、入射した光に応じた第２電荷を発生する第２光電変換部と、前記第１光電変換部および前記第２光電変換部に対して共通に設けられていて、入力部を有し、前記入力部に与えられた電荷に応じた信号を前記信号線に出力する増幅部と、前記第１光電変換部で発生した前記第１電荷を前記入力部に転送する第１転送トランジスタと、前記第２光電変換部で発生した前記第２電荷を前記入力部に転送する第２転送トランジスタと、を有する固体撮像装置の駆動方法であって、
前記読み出し部によって読み出される信号は、前記入力部に対して前記第１転送トランジスタによって前記第１光電変換部から前記第１電荷が転送された状態で読み出される第１光信号と、前記第１光信号が読み出された後に、前記第１光電変換部から転送された前記第１電荷を保持している前記入力部に対して前記第２転送トランジスタによって前記第２光電変換部から前記第２電荷が転送された状態で読み出される第２光信号とを含み、
前記駆動方法は、前記読み出し部が前記第１光信号の読み出しを開始してから、前記保持部への前記第１光信号の書き込みを終了するまでの時間をＴ１、前記読み出し部が前記第１光信号の読み出しを開始してから、前記保持部への前記第２光信号の書き込みを終了するまでの時間をＴ２とすると、Ｔ１＜Ｔ２が成り立つように、前記固体撮像装置を駆動する、
ことを特徴とする固体撮像装置の駆動方法。
【請求項１３】
前記第２光信号は、前記第１光電変換部から転送された前記第１電荷を保持している前記入力部に対して前記第２転送トランジスタによって前記第２光電変換部から前記第２電荷が転送され、かつ、前記第１転送トランジスタによって前記第１光電変換部から前記入力部に再び電荷が転送された状態で読み出される信号である、
ことを特徴とする請求項１２に記載の固体撮像装置の駆動方法。
【手続補正２】
【補正対象書類名】明細書
【補正対象項目名】０００６
【補正方法】変更
【補正の内容】
【０００６】
本発明の１つの側面は、固体撮像装置に係り、該固体撮像装置は、画素ユニットと、前記画素ユニットから信号線を介して信号を読み出す読み出し部と、前記読み出し部によって読み出される信号を保持する保持部とを備え、前記画素ユニットが、入射した光に応じた第１電荷を発生する第１光電変換部と、入射した光に応じた第２電荷を発生する第２光電変換部と、前記第１光電変換部および前記第２光電変換部に対して共通に設けられていて、入力部を有し、前記入力部に与えられた電荷に応じた信号を前記信号線に出力する増幅部と、前記第１光電変換部で発生した前記第１電荷を前記入力部に転送する第１転送トランジスタと、前記第２光電変換部で発生した前記第２電荷を前記入力部に転送する第２転送トランジスタとを有し、前記読み出し部によって読み出される信号は、前記入力部に対して前記第１転送トランジスタによって前記第１光電変換部から前記第１電荷が転送された状態で読み出される第１光信号と、前記第１光信号が読み出された後に、前記第１光電変換部から転送された前記第１電荷を保持している前記入力部に対して前記第２転送トランジスタによって前記第２光電変換部から前記第２電荷が転送された状態で読み出される第２光信号とを含み、前記読み出し部が前記第１光信号の読み出しを開始してから、前記保持部への前記第１光信号の書き込みを終了するまでの時間をＴ１、前記読み出し部が前記第２光信号の読み出しを開始してから、前記保持部への前記第２光信号の書き込みを終了するまでの時間をＴ２とすると、Ｔ１＜Ｔ２が成り立つ。